(57)【要約】【課題】  清掃具本体と柄から構成された柄付き清掃具であって、清掃具を動かす方向によって腕が突っ張ったり窮屈になったりすることがなく、楽な姿勢で清掃を行うことができる柄付き清掃具を提供すること。【解決手段】  水平方向に回動自在である回転軸１２を上向きに突出させた清掃具本体１と、前記清掃具本体１の回転軸１２に取り付けられる柄２と、前記清掃具本体１の回転軸１２に連結され、回転軸１２に作用して清掃具本体１を移動させる作用部材３と、前記作用部材３を清掃具本体１の回転軸１２への作用方向とは逆の方向に付勢している弾性体４と、から構成されている柄付き清掃具であって、前記清掃具本体１または柄２の何れか一方に凸構造を形成し、他方に凹構造を形成して、凸構造が凹構造に嵌合するか、あるいは、清掃具本体１及び柄２のそれぞれに凹凸構造を形成して互いに嵌合しあう凹凸嵌合構造を有する構成としたこと。【選択図】        図１
2006263022.tif 000002
【特許請求の範囲】
【請求項１】
水平方向に回動自在である回転軸１２を上向きに突出させた清掃具本体１と、
前記清掃具本体１の回転軸１２に取り付けられる柄２と、
前記清掃具本体１の回転軸１２に連結され、回転軸１２に作用して清掃具本体１を移動させる作用部材３と、
前記作用部材３を清掃具本体１の回転軸１２への作用方向とは逆の方向に付勢している弾性体４と、
から構成されている柄付き清掃具であって、
前記清掃具本体１または柄２の何れか一方に凸構造を形成し、他方に凹構造を形成して、凸構造が凹構造に嵌合するか、あるいは、清掃具本体１及び柄２のそれぞれに凹凸構造を形成して互いに嵌合しあう凹凸嵌合構造を有し、
前記清掃具本体１と柄２は、平常時は、凹凸嵌合構造により嵌合状態にあって、清掃具本体１と柄２は互いに水平方向の回動が阻止されており、
前記作用部材３を弾性体４に抗して押圧すると、清掃具本体１が移動して凹凸嵌合構造の嵌合状態が解除されて、清掃具本体１と柄２は互いに水平方向に回動自在となることを特徴とする柄付き清掃具。
【発明の詳細な説明】
【技術分野】
【０００１】
本発明は、清掃具本体と柄から構成され、例えば窓ガラスや網戸を掃除するとき等
に使用する柄付き清掃具に関するものである。
【背景技術】
【０００２】
この種の柄付き清掃具としては、例えば、特開２００１−６１５５３号公報には、ブラシ本体と柄とが着脱自在に形成された柄付きブラシについての記載があり、また、特開２００３−１００７４号公報には、平板状のブラシ体を柄の先端部に着脱可能に取り付けた清掃用柄付きブラシについての記載があり、また、特開２００３−４７７号公報には、略矩形のプレート状をした圧縮性を有するスポンジ体の上面に、該スポンジ体より外形寸法の小さい略矩形の保持板を取付けると共に、この保持板に柄を取付けることにより構成されている網戸用清掃具についての記載があり、それぞれ公知である。
【０００３】
これらは何れも、柄が取り付けられている、あるいは、柄を取り付けて使用するものであり、柄が付いていることにより、それぞれの清掃用具の汚い清掃面を直に握る必要がないので、手が汚れることを最小限に抑制することができ、また、遠い場所や地面を清掃する場合にも楽な姿勢で使用することができ、快適に清掃を行うことができる。
【特許文献１】特開２００１−６１５５３号公報
【特許文献２】特開２００３−１００７４号公報
【特許文献３】特開２００３−４７７号公報
【発明の開示】
【発明が解決しようとする課題】
【０００４】
しかしながら、他方では、これらは何れも、長尺辺と短尺辺からなる矩形の清掃面を有し、これに対して柄が固定的に取り付けられている構成であり、通常は柄を動かす方向に対して長尺辺を略垂直にあてて清掃をするので、ある一定の場所で清掃を行う場合に、ある一定方向に動かすときには快適な姿勢で清掃できるが、この一定方向に対して略直の方向に動かして清掃するときには、清掃用具と清掃用具を握った腕全体を約９０度ひねった状態で清掃用具を動かさなければならないので、腕が突っ張って窮屈になって、清掃用具を動かしにくく、疲れやすいという課題があった。
【０００５】
そこで、本発明は、清掃具本体と柄から構成された柄付き清掃具であって、清掃具を動かす方向によって腕が突っ張ったり窮屈になったりすることがなく、楽な姿勢で清掃を行うことができる柄付き清掃具を提供するものである。
【課題を解決するための手段】
【０００６】
この課題を解決するために講じた本発明の構成を、実施例を示す図面に使用した符号を用いて説明すると、本発明は、水平方向に回動自在である回転軸１２を上向きに突出させた清掃具本体１と、前記清掃具本体１の回転軸１２に取り付けられる柄２と、前記清掃具本体１の回転軸１２に連結され、回転軸１２に作用して清掃具本体１を移動させる作用部材３と、前記作用部材３を清掃具本体１の回転軸１２への作用方向とは逆の方向に付勢している弾性体４と、から構成されている柄付き清掃具であって、前記清掃具本体１または柄２の何れか一方に凸構造を形成し、他方に凹構造を形成して、凸構造が凹構造に嵌合するか、あるいは、清掃具本体１及び柄２のそれぞれに凹凸構造を形成して互いに嵌合しあう凹凸嵌合構造を有し、前記清掃具本体１と柄２は、平常時は、凹凸嵌合構造により嵌合状態にあって、清掃具本体１と柄２は互いに水平方向の回動が阻止されており、前記作用部材３を弾性体４に抗して押圧すると、清掃具本体１が移動して凹凸嵌合構造の嵌合状態が解除されて、清掃具本体１と柄２は互いに水平方向に回動自在となる構成としたものである。
【発明の効果】
【０００７】
本発明の柄付き清掃具は、清掃具本体または柄の何れか一方に凸構造を形成し、他方に凹構造を形成して、凸構造が凹構造に嵌合するか、あるいは、清掃具本体及び柄のそれぞれに凹凸構造を形成して互いに嵌合しあう凹凸嵌合構造を有し、清掃具本体と柄は、平常時は、凹凸嵌合構造により嵌合状態にあって、清掃具本体と柄は互いに水平方向の回動が阻止されている構成であるから、清掃具本体がしっかりと固定された状態で、安心して清掃することができるものでありながら、ボタンを弾性体に抗して押圧するだけで、清掃具本体が移動して凹凸嵌合構造の嵌合状態が解除されて、清掃具本体と柄は互いに水平方向に回動自在となる構成であるから、ワンタッチで容易に清掃具本体の向きを適宜の方向に切り変えることができ、清掃具本体の向きを切り変えることにより、上下、前後、左右あらゆる方向に、腕の向きを変えずに清掃具を動かすことができる。これにより、長時間の清掃作業であっても腕の疲労が抑制されるので快適に清掃を行うことができ、また、清掃の速度及び質が上がることにより清掃作業の効率を大幅にアップさせることができる。
【発明を実施するための最良の形態】
【０００８】
本発明を実施するにあたって、清掃具本体１の清掃面には、後述する実施例で示した刷毛の他に、不織布やスポンジ、ゴムヘラ等を取り付けて実施することができ、限定されるものではない。また、清掃具本体１の形状は、様々な形状が考えられ、限定されるものでないが、実施例で示した矩形の他に、楕円形等、長尺部と短尺部を有する形状で実施すると、本発明の趣旨が最もよく実現される。
【０００９】
また、柄２の長さ、形状、清掃具本体１に対する取り付け角度等も限定されるものではないが、清掃具本体１に対して、柄２が略平行か、あるいはやや上方に傾斜する角度で取り付けられた状態で実施すると、本発明の趣旨がよく実現される。
【００１０】
また、凹凸嵌合構造は、回転軸１２の周りにおいて一定の角位相周期で形成されている構成として実施すると、一定角度毎に清掃具本体１の向きを変えることができる。特に、凹凸嵌合構造は、回転軸１２の周りにおいて９０度角位相周期で形成されている構成として実施すると、９０度毎に清掃具本体１の向きを変えることができ、さらに、清掃具本体１を矩形、楕円形等の長尺部と短尺部を有する形状とし、清掃具本体１の長尺部の方向と柄２が延びる方向が略直となるときと、略平行になるときに、清掃具本体１と柄２が嵌合状態を形成する構成として実施すると、清掃具本体１の長尺部の方向と柄２が延びる方向を略直にすることにより、腕を上下方向、前後方向に動かす清掃を快適に行うことができ、そこから清掃具本体１の向きを９０度動かして清掃具本体１の長尺部の方向と柄２が延びる方向を略平行にすることにより、腕を左右方向に動かす清掃を快適に行うことができる。
【実施例】
【００１１】
以下、本発明の実施例を図示例と共に説明する。図１乃至図７は本願発明の第１実施例の柄付き清掃具であって、図１は組み立てた状態の斜視図、図２は図１の分解斜視図、図３は分解縦断側面図、図４は組み立てた状態の縦断側面図、図５（ａ）乃至（ｄ）は清掃具本体の回転状態を説明する一部縦断側面図、図６は上下方向（前後方向）に動かす状態を示す図、図７は左右方向に動かす状態を示す図を示す。
【００１２】
該第１実施例の柄付き清掃具は、網戸の清掃に用いるブラシであって、主要な部材としては、図２の分解図に見られるように、清掃具本体１と、柄２と、作用部材３と、弾性体４と、キャップ５とから構成されている。
【００１３】
清掃具本体１は、矩形状の平板１１の１面の中心部に回転軸１２が略直に取り付けられており、該回転軸１２の軸端面１２ａには、後述する作用部材３の連結板３１とビスＢで連結するためのビス挿通孔１２ｂが形成されている。平板１１上であって回転軸１２の外周には、凹部１３が４箇所９０度角位相周期に形成されている。より詳しくは、該凹部１３は、平板１１上であって回転軸１２の外周のうち、回転軸１２の中心部を通って長手方向の線及び幅方向の線と交わる４箇所に形成された９０度角位相周期の配置となっている。平板１１において、回転軸１２が形成された中心部を挟んで長手方向両側には、平板１１を貫通する長手方向の溝１４が２本ずつ計４本形成されている。該平板１１の回転軸１２が取り付けられた面と反対の面からは、刷毛１５が、間に溝１４を挟んで長手方向に３列に植毛されている。
【００１４】
柄２は、その一端に回転軸１２に取り付けられる接続部２１と、該接続部２１の側面から一体的に突出させて成形してある把持部２２からなる。そのうち、接続部２１は、回転軸１２を内部に収容できるように筒状に形成され、その下方の周縁部には、前記凹部１３と嵌合する凸部２３が９０度角位相周期に形成されている。より詳しくは、該凸部２３は、接続部２１の下方の周縁部のうち、接続部２１の筒軸の中心部を通って把持部２２が延びる方向の線及びそれと略直の方向の線と交わる４箇所に形成された９０度角位相周期の配置となっている。また、図３に示すように、接続部２１の下方には、筒内方向に比較的やや肉厚である肉厚部２４を形成してあり、これは、下方の周縁部に凸部２３を形成し、かつ、後述するように、弾性体４を収容するための収容底とするためである。
【００１５】
把持部２２は、全体として上方に向かって傾斜状に形成され、より詳しくは、接続部２１の側面から一体的に略直に突出した後、やや急激に上方に傾斜する箇所があり、その後、ややなだらかに上方に傾斜する箇所が続いている。これにより、清掃具本体１を回転させても、清掃具本体１が把持部２２を握る手に当たることがなく、使用することができる。
【００１６】
その他の主要な部材としては、図３に示すように、作用部材３は、筒状の外観形状であり、筒内の軸方向の略中間部に清掃具本体１の回転軸１２をビスＢで留め付けて連結するための連結板３１が形成され、該連結板３１の中心部にビスＢを挿通するためのビス孔３２が形成されている。また、後述するキャップ５の連結部５２を作用部材３の筒内に連結したときに、連結部５２に形成された環状突条５３が嵌合する環状凹溝３３が、開口部よりの内壁に形成されている。
【００１７】
弾性体４は、コイル状のスプリング４１であって、その径は、回転軸１２の外径よりも大きく、接続部２１の筒の内径よりも小さく、後述する作用部材３の筒壁と略同径に形成されている。
【００１８】
キャップ５は、図３に示すように、円柱状の押圧部５１と、該押圧部５１よりやや径が小さい円柱状であって、作用部材３の筒内と連結するための、連結部５２が一体的に成形されている。該連結部５２の側壁には、前述したように、作用部材３の筒内に連結したときに、作用部材３の筒内に形成された環状凹溝３３と嵌合する環状突条５３が一体的に突出成形されている。
【００１９】
なお、本実施例においては、環状凹溝３３は、両開口部よりの内壁にそれぞれ形成されていて、作用部材３の両方の開口部からキャップ５の連結部５２を連結することができるように形成されているが、どちらか一方に形成されているだけでもよいことは言うまでもない。また、環状突条５３を環状凹溝３３に嵌合させたときの嵌合状態は、作用部材３とキャップ５が互いに密着不動である密嵌状態でも、作用部材３とキャップ５が互いに回動自在となるような遊嵌状態でもよい。本実施例においては、作用部材３とキャップ５が互いに密着不動である密嵌状態にあり、後述するように、清掃具本体１を回転させると、回転軸１２、作用部材３及びキャップ５は一体となって回転する。作用部材３とキャップ５が互いに回動自在となるような遊嵌状態とすると、清掃具本体１を回転させたときに、キャップ５は回転せずに、回転軸１２及び作用部材３のみを一体として回転させることができる。
【００２０】
これらの部材の組み立てにあたっては、図２及び図３に示した状態から、まず、清掃具本体１の回転軸１２を柄２の接続部２１の下方から筒内に挿入して、清掃具本体１の凹部１３に柄２の凸部２３を嵌合させる。次いで、柄２の接続部２１の上方から、弾性体４（スプリング４１）を回転軸１２の外周であって肉厚部２４上に載置し、その上に作用部材３を入れて、回転軸１２の軸端面１２ａと作用部材３の連結板３１をビス孔３２からビス挿通孔１２ｂにビスＢを挿通して螺嵌することにより連結する。このとき、弾性体４（スプリング４１）は、その付勢力（復元力）によって、清掃具本体１の凹部１３と柄２の凸部２３の嵌合状態を保つ方向に作用部材３を付勢するために、やや収縮状態に置かれている。最後にキャップ５の連結部５２を作用部材３の筒内に挿入して、環状突条５３を環状凹溝３３に嵌合させて、作用部材３とキャップ５を連結して、図１及び図４の状態とする。
【００２１】
このような構成で組み立てられた柄付き清掃具は、平常時は、清掃具本体１の凹部１３と柄２の凸部２３が嵌合していて、かつ、作用部材３は、該作用部材３に連結された回転軸１２及びキャップ５とともに、やや収縮状態にある弾性体４（スプリング４１）によって、清掃具本体１の凹部１３と柄２の凸部２３による嵌合状態が解除されるような回転軸１２の移動方向とは反対の方向（回転軸１２の突出方向）に付勢されて、清掃具本体１の凹部１３と柄２の凸部２３の嵌合状態が保たれている。したがって、平常時は、柄２に対して清掃具本体１の水平方向の回動が阻止されていて、清掃具本体１が動くことがないので、臆することなく清掃をすることができる。
【００２２】
柄２に対して清掃具本体１の向きを変える場合は、図５（ａ）に示した状態から、キャップ５を回転軸１２の突出方向とは反対の方向に弾性体４（スプリング４１）の弾性力に抗して押圧する。すると、図５（ｂ）に示すように、作用部材３が該作用部材３に連結された清掃具本体１の回転軸１２に作用して、回転軸１２は清掃具本体１とともに、弾性体４（スプリング４１）をより収縮させる方向（回転軸１２の突出方向とは反対の方向）に、キャップ５の押圧移動分移動して、清掃具本体１の凹部１３と柄２の凸部２３の嵌合状態が解除され、清掃具本体１が作用部材３及びキャップ５とともに水平方向に回動自在となる。
【００２３】
而して、図５（ｃ）に示すように、キャップ５を押したままの状態で、水平方向の左右何れかの方向に９０度清掃具本体１を回転軸１２に連結された作用部材３及び該作用部材３に連結されたキャップ５とともに回転させ、ボタンを離す。すると、収縮状態にある弾性体４（スプリング４１）の復元力に従って、収縮状態にある弾性体４（スプリング４１）を復元させる方向に、作用部材３が、該作用部材３に連結されたキャップ５及び清掃具本体１の回転軸１２とともに移動し、清掃具本体１の凹部１３と柄２の凸部２３が、元の状態から９０度ずれた位置で、再び図５（ｄ）に示したような嵌合状態をとる。
【００２４】
使用にあたっては、清掃具本体１の長尺部の方向を柄２が延びる方向と略直になるように、清掃具本体１の凹部１３と柄２の凸部２３を嵌合状態にすると、図６に示すように、図面中上下方向（あるいは前後方向）に動かして、縦方向に清掃具本体１を動かす清掃を快適に行うことができる。この状態から、前述したように、清掃具本体１を柄２に対して水平方向に９０度回転させて、清掃具本体１の長尺部の方向を柄２が延びる方向と大略平行になるように、清掃具本体１の凹部１３と柄２の凸部２３を嵌合状態にすると、図７に示すように、同じ持ち方、及び同じ腕の姿勢で、図面中左右方向に動かして、横方向に清掃具本体１を動かす清掃を快適に行うことができる。
【００２５】
図８は、本願発明の第１実施例の変形例の柄付き清掃具であって、第１実施例と異なる点は、清掃具本体１の回転軸１２の外周には、凹凸構造１６が４５度角位相周期に形成され、柄２の接続部２１の下方の周縁部にも該凹凸構造１６と嵌合しあう凹凸構造２６が４５度角位相周期に形成されている点である。そして、清掃具本体１の長尺部の方向と柄２が延びる方向が略直となるときと、略平行になるときに、清掃具本体１と柄２が嵌合状態を形成するように、凹凸構造１６と凹凸構造２６を形成してある。使用にあたっては、４５度毎に清掃具本体１の向きを変えることができる。その他の点は、第１実施例とほぼ同様である。
【００２６】
図９は、本願発明の第２実施例の柄付き清掃具であって、第１実施例と異なる点について列挙して解説すると、清掃具本体１は、略半楕円形の縦板部１７ａと略矩形の横板部１７ｂが一体的に成形された第一部材１７と半楕円形の第二部材１８から構成されている。半楕円形の縦板部１７ａの頂部には、回転軸１２が上向きに略直に突出しており、該回転軸１２の軸端面１２ａには、作用部材３の連結板３１とビスＢで連結するためのビス挿通孔１２ｂが形成されている。回転軸１２の突出部の外周には、円弧状の凹部１３が４箇所９０度角位相周期に形成されている。より詳しくは、該凹部１３は、回転軸１２の突出部の外周のうち、回転軸１２の中心部を通って長手方向の線及び幅方向の線と交わる４箇所に形成された９０度角位相周期の配置となっている。横板部１７ｂの下面（清掃面）であって、第一部材１７と第二部材１８の間には、スポンジＳ等を挟み込むための空隙１９ａが形成され、本実施例においては、空隙１９ａにスポンジＳを挟み込み、半楕円形の第二部材１８を第一部材１７の半楕円形の縦板部１７ａにビス止めして使用する。第一部材１７の横板部１７ｂの長尺辺のうち、第一部材１７と第二部材１８の連結側と反対側の端縁には、ゴムヘラＲを挟み込むための溝１９ｂがおよそ斜め４５度下方に傾斜させて形成され、図示したようにゴムヘラＲを挟み込んで使用する。
【００２７】
柄２は、その一端に回転軸１２に取り付けられる接続部２１と、該接続部２１の側面から一体的に突出させて成形してある把持部２２からなる。そのうち、接続部２１は、回転軸１２を内部に収容できるように筒状に形成され、その下方の周縁部には、凹部１３と嵌合する円弧状の凸部２３が９０度角位相周期に形成されている。より詳しくは、該凸部２３は、接続部２１の下方の周縁部のうち、接続部２１の筒軸の中心部を通って把持部２２が延びる方向の線及びそれと略直の方向の線と交わる４箇所に形成された９０度角位相周期の配置となっている。また、接続部２１の下方には、筒内方向に比較的やや肉厚である肉厚部２４を形成してあり、これは、下方の周縁部に凸部２３を形成し、かつ、後述するように、弾性体４を収容するための収容底とするためである。
【００２８】
把持部２２は、接続部２１の側面から一体的に略直に突出させて、全体としてやや上方に反って形成されている。そして、清掃具本体１を回転させても、清掃具本体１が把持部２２を握る手に当たることがないよう充分な長さで形成されている。
【００２９】
その他の主要な部材としては、キャップ５は、円柱状の押圧部５１と、該押圧部５１よりやや径が小さい円柱状であって、後述する作用部材３の筒内と連結するための、連結部５２が一体的に成形されている。該連結部５２の側壁には、作用部材３の筒内に連結したときに、作用部材３の筒内に形成された環状凹溝３３と嵌合する環状突条５３が一体的に突出成形されている。作用部材３の環状凹溝３３は、一方の開口部よりの内壁にのみ形成されている。本実施例においては、また、環状突条５３を環状凹溝３３に嵌合させたときの嵌合状態は、作用部材３とキャップ５が互いに回動自在となるような遊嵌状態にあり、清掃具本体１を回転させると、キャップ５は回転せずに、回転軸１２及び作用部材３のみが一体として回転する。
【００３０】
使用にあたっては、清掃具本体１を水平方向に回転させて、清掃具本体１を縦方向と横方向に動かす清掃の仕方は、第１実施例と同様であるが、清掃具本体１の長尺部の方向を柄２が延びる方向と略直になるように、清掃具本体１の凹部１３と柄２の凸部２３を嵌合状態にした場合には、前後方向に柄２の角度を変えるだけで、スポンジＳとゴムヘラＲを切り替えることができる。清掃具本体１の長尺部の方向を柄２が延びる方向と大略平行になるように、清掃具本体１の凹部１３と柄２の凸部２３を嵌合状態にした場合には、左右方向に柄２の角度を変えるだけで、スポンジＳとゴムヘラＲを切り替えることができる。その他の点は、第１実施例と同様である。
【００３１】
図１０及び図１１は、本願発明の第３実施例の柄付き清掃具であって、第１実施例と大きく異なる点は、主要な部材としては、清掃具本体１と、柄２と、作用部材３と、弾性体４（スプリング４１）とから構成され、キャップ５が省略されており、清掃具本体１の回転軸１２が作用部材３に直接連結されていて、作用部材３は弾性体４（スプリング４１）によって清掃具本体１の凹部１３と柄２の凸部２３による嵌合状態が解除されるような回転軸１２の移動方向とは反対の方向（回転軸１２の突出方向）に直接付勢されて、清掃具本体１の凹部１３と柄２の凸部２３の嵌合状態が保たれている点である。
【００３２】
柄２に対して清掃具本体１の向きを変える場合は、作用部材３を回転軸１２の突出方向とは反対の方向に弾性体４（スプリング４１）に抗して押圧する。すると、作用部材３が該作用部材３に連結された清掃具本体１の回転軸１２に作用して、回転軸１２は清掃具本体１とともに、弾性体４（スプリング４１）をより収縮させる方向（回転軸１２の突出方向とは反対の方向）に、作用部材３の押圧移動分移動して、清掃具本体１の凹部１３と柄２の凸部２３の嵌合状態が解除され、清掃具本体１が作用部材３とともに水平方向に回動自在となる。
【００３３】
而して、作用部材３を押したままの状態で、水平方向のうち左右何れかの方向に９０度清掃具本体１を回転体１２に連結された作用部材３とともに回転させ、ボタンを離す。すると、収縮状態にある弾性体４（スプリング４１）の復元力に従って、収縮状態にある弾性体４（スプリング４１）を復元させる方向に、作用部材３が、該作用部材３に連結された清掃具本体１の回転軸１２とともに移動し、清掃具本体１の凹部１３と柄２の凸部２３が、元の状態から９０度ずれた位置で、再び嵌合状態をとる。
【００３４】
以上本発明の代表例と思われる実施例について説明したが、本発明は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００３５】
本発明の柄付き清掃具は、簡単に清掃具本体の水平方向の向きを変えて、持ち替えたり、腕の姿勢を変えたりする必要がなく使用することができ、従来型に替わって市場において歓迎されると思われる。
【図面の簡単な説明】
【００３６】
【図１】第１実施例の組み立てた状態の斜視図。
【図２】同図１の分解斜視図。
【図３】同分解縦断側面図。
【図４】同組み立てた状態の縦断側面図。
【図５（ａ）】清掃具本体の回転状態を説明する一部縦断側面図。
【図５（ｂ）】清掃具本体の回転状態を説明する一部縦断側面図。
【図５（ｃ）】清掃具本体の回転状態を説明する一部縦断側面図。
【図５（ｄ）】清掃具本体の回転状態を説明する一部縦断側面図。
【図６】上下方向（前後方向）に動かす状態を示す図。
【図７】左右方向に動かす状態を示す図。
【図８】第１実施例の変形例の分解斜視図。
【図９】第２実施例の分解斜視図。
【図１０】第３実施例の分解縦断側面図。
【図１１】同組み立てた状態の縦断側面図。
【符号の説明】
【００３７】
１  清掃具本体
１１  平板
１２  回転軸
１２ａ  軸端面
１２ｂ  ビス挿通孔
１３  凹部
１４  溝
１５  刷毛
１６  凹凸構造
１７  第１部材
１７ａ  縦板部
１７ｂ  横板部
１８  第２部材
１９ａ  空隙
１９ｂ  溝
２  柄
２１  接続部
２２  把持体
２３  凸部
２４  肉厚部
２６  凹凸構造
３  作用部材
３１  連結板
３２  ビス孔
３３  環状凹溝
４  弾性体
４１  スプリング
５  キャップ
５１  押圧部
５２  連結部
５３  環状突条
Ｂ  ビス
Ｒ  ゴムヘラ
Ｓ  スポンジ
【図１】
2006263022.tif 000003
【図２】
2006263022.tif 000004
【図３】
2006263022.tif 000005
【図４】
2006263022.tif 000006
【図５（ａ）】
2006263022.tif 000007
【図５（ｂ）】
2006263022.tif 000008
【図５（ｃ）】
2006263022.tif 000009
【図５（ｄ）】
2006263022.tif 000010
【図６】
2006263022.tif 000011
【図７】
2006263022.tif 000012
【図８】
2006263022.tif 000013
【図９】
2006263022.tif 000014
【図１０】
2006263022.tif 000015
【図１１】
2006263022.tif 000016